(57)【要約】【課題】被検体にとって快適な環境で検査を実施すること。【解決手段】実施形態の核医学イメージング装置は、検出器と、ドームと、吹き出し口とを備える。検出器は、被検体から放出された放射線を検出する。ドームは、前記検出器を遮り、前記被検体が挿入される撮影空間を形成する。吹き出し口は、前記ドームに形成され、空調機から送風された空気を吹き出す。【選択図】図３
2014228423.tif 000002
【特許請求の範囲】
【請求項１】
被検体から放出された放射線を検出する検出器と、
前記検出器を遮り、前記被検体が挿入される撮影空間を形成するドームと、
前記ドームに形成され、空調機から送風された空気を吹き出す吹き出し口と、
を備えたことを特徴とする核医学イメージング装置。
【請求項２】
前記撮影空間の温度を測定する温度センサと、
前記温度センサが測定した温度に基づいて、前記空調機から送風される空気の温度を調整する制御部と、
を更に備えたことを特徴とする請求項１に記載の核医学イメージング装置。
【請求項３】
前記吹き出し口は、前記空調機から送風された空気を、前記撮影空間に吹き出すように前記ドームに形成されることを特徴とする請求項１又は２に記載の核医学イメージング装置。
【請求項４】
前記吹き出し口は、前記空調機から送風された空気を、前記被検体の挿入方向に沿って吹き出すように前記ドームの内部に形成されることを特徴とする請求項１又は２に記載の核医学イメージング装置。
【請求項５】
被検体から放出された放射線を検出する検出器と、
前記検出器を遮り、前記被検体が挿入される撮影空間を形成するドームと、
前記ドームに形成され、空調機から送風された空気を吹き出す吹き出し口と、
を備えたことを特徴とする架台装置。
【発明の詳細な説明】
【技術分野】
【０００１】
本発明の実施形態は、核医学イメージング装置及び架台装置に関する。
【背景技術】
【０００２】
従来、ガンマカメラや、ガンマカメラタイプの単一光子放射断層撮影（ＳＰＥＣＴ：Single  Photon  Emission  Computed  Tomography）装置等の核医学イメージング装置は、被検体の生体組織における機能診断を行なうことができる医用画像診断装置として、今日の医療現場において広く用いられている。ガンマカメラやＳＰＥＣＴ装置は、核医学検査において、例えば、ＳＰＥＣＴ撮影法により、被検体に投与した放射性医薬品（トレーサ：tracer）の体内分布が描出された画像（ＳＰＥＣＴ画像）を撮影する。また、核医学検査では、例えば、被検体の頭部を時系列に沿って撮影したＳＰＥＣＴ画像から、脳組織内の毛細血管を通過する血流の動態を定量的に表す指標マッピングされた灌流画像を生成表示することが行なわれている。
【０００３】
ここで、放射線検出器であるガンマカメラでは、検出器回路として、オペアンプ等のアナログ回路が使用されている。かかるアナログ回路は、通電により発熱するため、検出器周辺の空気は、暖められる。このため、ガンマカメラが搭載される架台装置の全体がカバーで覆われている場合、架台装置の内部には、熱がこもってしまう。
【０００４】
特に、ガンマカメラが被検体に対して露出しないように、ガンマカメラをドームにより遮っている場合、ドーム及びドームの内部空間の温度が上がってしまう。ドームにより形成される内部空間は、被検体の撮影部位が挿入される撮影空間である。従って、被検体の検査を行なう時は、ドーム内の温度が上昇する。例えば、上記のカバーに送風用のファンを取り付けても、検出器に囲まれるドーム周辺は、効率よく冷却されない。
【０００５】
核医学検査では、収集画像の画質を良くするために、発熱する検出器を被検体に可能な限り近接させるので、被検体は、検出器の発熱の影響を受け、暑いと感じる。その結果、核医学検査は、被検体にとって必ずしも快適な環境で行なわれる検査とならない場合があった。また、被検体は、自律的に体温を調整するため、検査時に、自然に心拍数が上がって血流速度が増加したり、血流量が多くなったりする。かかる現象は、検査結果で得られる検査画像に影響を与えてしまう。
【先行技術文献】
【特許文献】
【０００６】
【特許文献１】特開平１１−２１１８３３号公報
【発明の概要】
【発明が解決しようとする課題】
【０００７】
本発明が解決しようとする課題は、被検体にとって快適な環境で検査を実施することができる核医学イメージング装置及び架台装置を提供することである。
【課題を解決するための手段】
【０００８】
実施形態の核医学イメージング装置は、検出器と、ドームと、吹き出し口とを備える。検出器は、被検体から放出された放射線を検出する。ドームは、前記検出器を遮り、前記被検体が挿入される撮影空間を形成する。吹き出し口は、前記ドームに形成され、空調機から送風された空気を吹き出す。
【図面の簡単な説明】
【０００９】
【図１】図１は、本実施形態に係るＳＰＥＣＴ装置の全体構成例を説明するための図である。
【図２】図２は、図１に示すドームとガンマカメラとの位置関係を説明するための図である。
【図３】図３は、本実施形態に係る冷却システムの構成例を示すブロック図である。
【図４】図４は、吹き出し口の第１形成例を示す図（１）である。
【図５】図５は、吹き出し口の第１形成例を示す図（２）である。
【図６】図６は、吹き出し口の第２形成例を示す図（１）である。
【図７】図７は、吹き出し口の第２形成例を示す図（２）である。
【発明を実施するための形態】
【００１０】
以下、添付図面を参照して、核医学イメージング装置の実施形態を詳細に説明する。以下の実施形態では、ガンマカメラタイプの単一光子放射断層撮影（ＳＰＥＣＴ：Single  Photon  Emission  Computed  Tomography）を行なうＳＰＥＣＴ装置を、核医学イメージング装置の一例として説明する。なお、以下に説明する実施形態の内容は、ガンマカメラやポジトロンエミッションＣＴ（ＰＥＴ：Positron  Emission  computed  Tomography）装置等の核医学イメージング装置にも適用可能である。
【００１１】
（実施形態）
まず、本実施形態に係るＳＰＥＣＴ装置の全体構成の一例について説明する。図１は、本実施形態に係るＳＰＥＣＴ装置の全体構成例を説明するための図である。また、図２は、図１に示すドームとガンマカメラとの位置関係を説明するための図である。図１に示すように、本実施形態に係るＳＰＥＣＴ装置は、架台装置１０と、寝台装置２０と、コンソール装置３０とを有する。図１に例示するＳＰＥＣＴ装置は、頭部検査用のＳＰＥＣＴ装置である。
【００１２】
架台装置１０は、被検体に投与され、被検体の生体組織に選択的に取り込まれた放射性医薬品から放射される放射線（ガンマ線）を検出した検出データを収集する装置である。架台装置１０は、図１に例示するように、全体がカバーで覆われている。
【００１３】
また、図１に例示する架台装置１０は、図２に示すように、３つのガンマカメラ（ガンマカメラ１００、ガンマカメラ１０１及びガンマカメラ１０２）を有する。すなわち、図１に例示するＳＰＥＣＴ装置は、３検出系のＳＰＥＣＴ装置である。
【００１４】
ガンマカメラ１００、ガンマカメラ１０１及びガンマカメラ１０２は、被検体の生体組織に選択的に取り込まれた放射性医薬品（トレーサ）の核種（ＲＩ：Radio  Isotope）から放射されるガンマ線を検出する検出器である。
【００１５】
具体的には、ガンマカメラ１００、ガンマカメラ１０１及びガンマカメラ１０２それぞれは、被検体から放出されたガンマ線の強度分布を２次元的に検出する。そして、ガンマカメラ１００、ガンマカメラ１０１及びガンマカメラ１０２それぞれは、検出した２次元ガンマ線強度分布データを、例えば、増幅処理、Ａ／Ｄ変換処理した検出データを生成し、生成した検出データを後述するコンソール装置３０に送信する。
【００１６】
例えば、ガンマカメラ１００、ガンマカメラ１０１及びガンマカメラ１０２それぞれは、シンチレータと、光電子倍増管（ＰＭＴ：Photomultiplier  Tube）とを有するフォトンカウンティング方式の放射線検出器である。シンチレータは、ガンマ線を紫外領域にピークを持つ光に変換する。ＰＭＴは、シンチレータからの発光を増倍して電気信号に変換する。また、ガンマカメラ１００、ガンマカメラ１０１及びガンマカメラ１０２それぞれには、ＰＭＴが出力したアナログ電気信号の増幅処理等を行なうアナログ回路が内蔵される。
【００１７】
また、ガンマカメラ１００、ガンマカメラ１０１及びガンマカメラ１０２それぞれには、入射方向を制限するコリメータが取り付けられている。ガンマカメラ１００、ガンマカメラ１０１及びガンマカメラ１０２それぞれは、例えば、鉛のコリメータにより制限された入射方向で入射したガンマ線を検出する。
【００１８】
そして、図１に例示する架台装置１０は、ドーム１１を有する。ドーム１１は、図２に例示するように、架台装置１０の正面に取り付けられる。ドーム１１は、図２に例示するように、中央が円形に繰り抜けられた略平面のパネルと、中空の円筒とが組み合わされた形状である。このパネルにより、ドーム１１は、寝台装置２０側から架台装置１０に装着される。ドーム１１が架台装置１０に装着されることで、ガンマカメラ１００、ガンマカメラ１０１及びガンマカメラ１０２は、ドーム１１を囲む。また、ドーム１１が架台装置１０に装着されることで、上記の中空の円筒内部は、図１に例示するように、被検体が挿入される撮影空間１２となる。すなわち、ドーム１１は、図１に例示するように、被検体が挿入される撮影空間１２を形成する。また、ドーム１１の装着により、ガンマカメラ１００、ガンマカメラ１０１及びガンマカメラ１０２それぞれは、ドーム１１の外側に配置される。その結果、撮影空間１２に頭部が挿入される被検体は、ガンマカメラ１００、ガンマカメラ１０１及びガンマカメラ１０２を直視することなく、頭部の核医学検査を受けることができる。
【００１９】
また、架台装置１０は、図示しないカメラ駆動部を有する。このカメラ駆動部は、ガンマカメラ１００、ガンマカメラ１０１及びガンマカメラ１０２それぞれを移動させる装置である。例えば、カメラ駆動部は、各ガンマカメラをドーム１１により形成される撮影空間１２の周方向に沿って所定の位置まで移動する。また、例えば、カメラ駆動部は、各ガンマカメラをドーム１１により形成される撮影空間１２の径方向に沿って所定の位置まで移動する。また、例えば、カメラ駆動部は、ガンマカメラ１００、ガンマカメラ１０１及びガンマカメラ１０２それぞれを移動して所定の角度（例えば、１２０度）離れた状態に配置して、ガンマカメラ間の間隔を維持した状態で、３つのガンマカメラを撮影空間１２の周方向に沿って回転駆動させる。
【００２０】
これによりガンマカメラ１００、ガンマカメラ１０１及びガンマカメラ１０２それぞれは、被検体の周囲を回転して、３６０度の複数方向のデータを生成する。なお、ガンマカメラ１００、ガンマカメラ１０１及びガンマカメラ１０２それぞれが１回転するのに要する時間は、通常、数分間である。
【００２１】
寝台装置２０は、撮影空間１２へ被検体とともに挿入される天板２１を有する装置である。また、寝台装置２０は、天板２１を撮影空間１２内へ移動可能に支持する天板支持部２２と、天板支持部２２を上下方向へ移動可能に支持する移動機構２３とを有する。天板２１の長手方向への移動は、天板支持部２２により行なわれる場合であっても、移動機構２３により行なわれる場合であっても良い。
【００２２】
コンソール装置３０は、操作者によるＳＰＥＣＴ装置の操作を受け付けるとともに、架台装置１０によって収集された検出データから被検体のＳＰＥＣＴ画像を再構成する装置である。
【００２３】
具体的には、コンソール装置３０は、架台装置１０及び寝台装置２０を制御して、ＳＰＥＣＴ画像の撮影を行なう。より具体的には、コンソール装置３０は、架台装置１０で収集された検出データに対して、オフセット補正、感度補正等の補正処理を行なって投影データを生成する。そして、コンソール装置３０は、投影データを用いて、所定の再構成処理により、ＳＰＥＣＴ画像を再構成する。所定の再構成処理としては、例えば、逐次近似法による再構成処理が挙げられる。また、コンソール装置３０は、例えば、被検体の頭部を時系列に沿って撮影したＳＰＥＣＴ画像から、灌流画像を生成することも可能である。コンソール装置３０は、ＳＰＥＣＴ画像や灌流画像をモニタに表示する。
【００２４】
ＳＰＥＣＴ画像撮影時のＳＰＥＣＴ装置の動作について簡単に説明する。まず、撮影前は、寝台装置２０の天板支持部２２は、架台装置１０の外部で撮影空間１２よりも低い初期位置に停止している。撮影を始める場合には、まず、天板２１にトレーサが投与された被検体が載置され、その後、操作者からの指示に基づいて、天板支持部２２が架台装置１０の撮影空間１２の略中心と同じ高さまで上方向へ移動され、続いて、天板２１が被検体とともに撮影空間１２内へ移動される。
【００２５】
天板２１が撮影空間１２内へ移動されると、撮影が行われる。具体的には、架台装置１０は、各ガンマカメラが回転しながら、被検体から放出されたガンマ線を検出し、検出データをコンソール装置３０に送信する。これにより、コンソール装置３０は、ＳＰＥＣＴ画像を再構成したり、ＳＰＥＣＴ画像の時系列データから灌流画像を生成したりする。
【００２６】
撮影が終わると、天板２１が被検体とともに撮影空間１２の外に移動され、続いて、天板支持部２２が初期位置まで下方向へ移動される。
【００２７】
以上、本実施形態に係るＳＰＥＣＴ装置の全体構成について説明した。かかる構成のもと、本実施形態に係るＳＰＥＣＴ装置は、ＳＰＥＣＴ画像の再構成を行なう。
【００２８】
ここで、本実施形態に係るＳＰＥＣＴ装置の架台装置１０は、上述したように、検出器であるガンマカメラ１００、ガンマカメラ１０１及びガンマカメラ１０２を遮り、被検体が挿入される撮影空間１２を形成するドーム１１を有する。一方、ガンマカメラ１００、ガンマカメラ１０１及びガンマカメラ１０２には、通電により発熱するアナログ回路が使用されている。このため、全体がカバーで覆われている架台装置１０の内部には、熱がこもってしまう。また、ドーム１１は、ガンマカメラ１００、ガンマカメラ１０１及びガンマカメラ１０２により囲まれているため、ドーム１１自体の温度が上がり、その結果、撮影空間１２の温度も上がる。ここで、核医学検査では、ＳＰＥＣＴ画像の画質を良くするために、発熱する検出器を被検体にできるだけ近接させる。
【００２９】
このため、核医学検査は、被検体にとって必ずしも快適な環境で行なわれる検査とならない場合があった。また、検査時に、暑さのために被検体の心拍数が上がって血流速度が増加したり、血流量が多くなったりする。かかる現象は、例えば、灌流画像に影響を与えてしまう。
【００３０】
そこで、本実施形態に係るＳＰＥＣＴ装置の架台装置１０は、被検体にとって快適な環境で検査を実施することができるように、以下のように構成される。本実施形態では、ドーム１１に形成され、空調機から送風された空気を吹き出す吹き出し口が設置される。
【００３１】
また、本実施形態では、撮影空間１２の温度を測定する温度センサと、温度センサが測定した温度に基づいて、空調機から送風される空気の温度を調整する制御部とが設置される。「空調機、吹き出し口、温度センサ及び制御部」は、撮影空間１２を冷却するための冷却システムとなる。図３は、本実施形態に係る冷却システムの構成例を示すブロック図である。
【００３２】
本実施形態に係る冷却システムは、図３に示すように、空調機１０４と、送風ファン１１０５と、送風管１０６と、吹き出し口１０７とを有する。空調機１０４は、外部の空気を取り込んで、可能な範囲で任意の温度に調整した空気を放出する装置である。空調機１０４は、架台装置１０の内部に設定される場合であっても、架台装置１０の外部に設置される場合であっても良い。
【００３３】
送風ファン１０５は、空調機１０４により温度が調整された空気を送風管１０６へ送り出す装置であり、送風管１０６は、送風ファン１０５により送風された空気を、吹き出し口１０７まで導くための中空の管である。
【００３４】
また、本実施形態に係る冷却システムは、図３に示すように、温度センサ１０８と、制御部１０９とを有する。温度センサ１０８は、撮影空間１２の温度を検出する。温度センサ１０８は、例えば、撮影空間１２の温度が検出可能なように、ドーム１１の撮影空間１２側に取り付けられる。
【００３５】
制御部１０９は、空調機１０４の動作を制御する装置である。例えば、制御部１０９は、空調機１０４に供給される電源のＯＮ／ＯＦＦの制御を行なったり、空調機１０４から送風される空気の温度を調整したりする。本実施形態では、制御部１０９は、温度センサ１０８が測定した温度に基づいて、空調機１０４から送風される空気の温度を調整する。なお、制御部１０９は、架台装置１０の内部に設定される場合であっても、架台装置１０の外部に設置される場合であっても良い。或いは、制御部１０９は、コンソール装置３０に設置される場合であっても良い。
【００３６】
本実施形態では、吹き出し口１０７がドーム１１に形成されることで、撮影空間１２は、空調機１０４が送風した空気により冷却される。これにより、本実施形態では、検査時でも、ガンマカメラ１００、ガンマカメラ１０１及びガンマカメラ１０２の発熱により撮影空間１２の温度が上昇することを防止し、長時間撮影される被検体にとって快適な環境で検査を実行することが可能となる。
【００３７】
ここで、吹き出し口１０７は、種々の形態によりドーム１１に形成することができる。例えば、第１形成例では、吹き出し口１０７は、空調機１０４から送風された空気を、撮影空間１２に吹き出すようにドーム１１に形成される。或いは、例えば、第２形成例では、吹き出し口１０７は、空調機１０４から送風された空気を、被検体の挿入方向に沿って吹き出すようにドーム１１の内部に形成される。以下、図４〜図７を用いて、ドーム１１に形成される吹き出し口１０７の形態の一例について説明する。図４及び図５は、吹き出し口の第１形成例を示す図である。また、図６及び図７は、吹き出し口の第２形成例を示す図である。
【００３８】
図４及び図５は、空調機１０４から送風された空気を撮影空間１２に吹き出すように、吹き出し口１０７をドーム１１に形成する第１形成例の一例を示す図である。図４は、ドーム１１の側面を示す断面図である。図４に例示するように、ドーム１１には、撮影空間１２を形成する中空の円筒１１１が取り付けられている。そして、図４に例示するように、ドーム１１には、円筒１１１の内側に、円筒１１１より短い中空の円筒１１２が取り付けられている。
【００３９】
図５の左図は、円筒１１１と円筒１１２とを寝台装置３０から見た正面図であり、図５の右図は、円筒１１１と円筒１１２とを架台装置１０の側面から見た斜視図である。図５の左図に示すように、円筒１１１と円筒１１２とは、３箇所で接続されている。送風管１０６は、図４及び図５に例示するように、円筒１１１と円筒１１２との間に形成される空洞に空調機１０４から送風された空気を導くように配置される。
【００４０】
図４及び図５に例示するように、撮影空間１２を形成する円筒１１１の内側に円筒１１１より短い円筒１１２を配置することで、撮影空間１２に空調機１０４から送風された冷却用の空気を吹き出すための吹き出し口１０７が形成される。吹き出し口１０７は、撮影空間１２の前方において、撮影空間１２の全周囲に沿って形成される。全周囲から吹き出される冷却用の空気により、撮影空間１２は、被検体にとって快適な温度に調整される。
【００４１】
また、図４に例示するように、温度センサ１０８は、円筒１１２の撮影空間１２側に、設置される。これにより、温度センサ１０８は、撮影空間１２の温度を検出する。制御部１０９は、温度センサ１０８が検出した撮影空間１２の温度が、所定の閾値より高くなった場合、現時点の設定温度より低い温度の空気を放出するように空調機１０４を制御する。また、制御部１０９は、温度センサ１０８が検出した撮影空間１２の温度が、所定の閾値より低くなった場合、現時点の設定温度より高い温度の空気を放出するように空調機１０４を制御する。この所定の閾値は、被検体にとって快適な温度とされる値に基づいて、例えば、操作者により任意に設定される。
【００４２】
図６及び図７は、空調機１０４から送風された空気を被検体の挿入方向に沿って吹き出すように、吹き出し口１０７をドーム１１に形成する第２形成例の一例を示す図である。図６は、ドーム１１の側面を示す断面図である。図６に例示するように、ドーム１１には、撮影空間１２を形成する中空の円筒１１１が取り付けられている。そして、図６に例示するように、ドーム１１には、円筒１１１の内側に、円筒１１１と同じ長さの中空の円筒１１３が取り付けられている。
【００４３】
図７の左図は、円筒１１１と円筒１１３とを寝台装置３０から見た正面図であり、図７の右図は、円筒１１１と円筒１１３とを架台装置１０の側面から見た斜視図である。図７の左図に示すように、円筒１１１と円筒１１３とは、３箇所で接続されている。送風管１０６は、図６及び図７に例示するように、円筒１１１と円筒１１３との間に形成される空間に空調機１０４から送風された空気を導くように配置される。
【００４４】
図６及び図７に例示するように、撮影空間１２を形成する円筒１１１の内側に円筒１１１と同じ長さの円筒１１３を配置することで、ドーム１１の内部において、挿入方向（天板２１の長手方向）に沿って冷却用の空気が流動するリング状の空洞が形成され、冷却用の空気を後方に吹き出す吹き出し口１０７が形成される。
【００４５】
吹き出し口１０７は、撮影空間１２の後方において、撮影空間１２の全周囲に沿って形成される。ドーム１１に形成されたリング状の空洞を挿入方向に沿って前方から後方へと流動する冷却用の空気により、ドーム１１は、冷却され、撮影空間１２は、冷却されたドーム１１により冷却される。その結果、撮影空間１２は、被検体にとって、快適な温度に調整される。
【００４６】
また、図６に例示するように、温度センサ１０８は、円筒１１３の撮影空間１２側に、設置される。これにより、温度センサ１０８は、撮影空間１２の温度を検出する。制御部１０９は、上記と同様に、温度センサ１０８が検出した撮影空間１２の温度と所定の閾値とを比較することで、空調機１０４から送風される空気の温度を調整する。
【００４７】
なお、図４〜図７は、あくまでも一例である。例えば、本実施形態は、ドーム１１の複数個所に、撮影空間１２に向かって冷却用の空気を吹き出す複数の吹き出し口が形成される場合であっても良い。また、図６及び図７に例示するように、ドーム１１にリング状の空洞を形成する場合、例えば、円筒１１３に複数の孔を空けて、これら複数の孔から空気が吹き出すように構成しても良い。
【００４８】
また、本実施形態は、温度センサ１０８が複数の箇所に取り付けられる場合であっても良い。かかる場合、制御部１０９は、例えば、複数の箇所の平均温度に基づいて、空調機１０４から送風される空気の温度を調整する。
【００４９】
また、本実施形態は、温度センサ１０８及び制御部１０９を用いた撮影空間１２内の温度調整制御を行なわない場合であっても良い。例えば、本実施形態は、撮影空間１２内の温度調整を操作者や被検体が手動で行なう場合であっても良い。
【００５０】
上述したように、本実施形態では、空調機１０４から送風された空気を吹き出すための吹き出し口をドーム１１に形成することで、撮影空間１２の内部の温度上昇を防止することができる。その結果、本実施形態では、被検体にとって快適な環境で検査を実施することができる。また、本実施形態では、撮影空間１２の内部の温度上昇を防止することができるので、撮影時における被検体の心拍数や血流速度を、安静時の状態に保ったまま画像の撮影を行なうことができる。その結果、本実施形態では、安定した検査結果が得られるので、検査効率を上げることができる。
【００５１】
また、本実施形態では、温度センサ１０８を用いた温度調整を行なうことで、例えば、撮影空間１２が過度に冷却されることを防止できる。その結果、本実施形態では、被検体にとって快適な環境を長時間に渡って維持した状態で検査を実施することができる。
【００５２】
なお、被検体によっては、撮影空間１２に吹き出される空気を不快と感じる場合がある。このため、本実施形態は、開閉可能な吹き出し口を複数個所に設け、空気が被検体に直接当たる位置の吹き出し口を閉じ、空気が被検体に直接当たらない位置の吹き出し口を開放する場合であっても良い。また、上記の開閉は、操作者や被検体により行なわれる場合であっても、制御部１０９により行なわれる場合であっても良い。
【００５３】
また、被検体によっては、送風により発生する音を不快と感じる場合がある。このため
本実施形態は、ドーム１１にノイズキャンセンリング機能を搭載させても良い。
【００５４】
また、上記の実施形態で説明した内容は、１検出系のＳＰＥＣＴ装置や２検出系のＳＰＥＣＴ装置、或いは、ガンマカメラ、ＰＥＴ装置にも適用可能である。また、上記の実施形態で説明した内容は、ＳＰＥＣＴ装置とＸ線ＣＴ装置とを組み合わせたＳＰＥＣＴ−ＣＴ装置、ＰＥＴ装置とＸ線ＣＴ装置とを組み合わせたＰＥＴ−ＣＴ装置等にも適用可能である。
【００５５】
また、上記の実施形態の説明において、図示した各装置の各構成要素は機能概念的なものであり、必ずしも物理的に図示の如く構成されていることを要しない。すなわち、各装置の分散・統合の具体的形態は図示のものに限られず、その全部又は一部を、各種の負荷や使用状況等に応じて、任意の単位で機能的又は物理的に分散・統合して構成することができる。更に、各装置にて行なわれる各処理機能は、その全部又は任意の一部が、ＣＰＵおよび当該ＣＰＵにて解析実行されるプログラムにて実現され、あるいは、ワイヤードロジックによるハードウェアとして実現され得る。
【００５６】
以上、説明したとおり、本実施形態によれば、被検体にとって快適な環境で検査を実施することができる。
【００５７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５８】
１１  ドーム
１００、１０１、１０２  ガンマカメラ
１０４  空調機
１０７  吹き出し口
【図１】
2014228423.tif 000003
【図２】
2014228423.tif 000004
【図３】
2014228423.tif 000005
【図４】
2014228423.tif 000006
【図５】
2014228423.tif 000007
【図６】
2014228423.tif 000008
【図７】
2014228423.tif 000009